(57)【要約】【課題】追記型光ディスクのデータを完全に読み出し不能にするデータを記録する光ディスク装置を提供する。【解決手段】光ディスク装置１は、光ピックアップ７から記録パワーのレーザ光を照射させ、フォーカスサーボのみを行い、光ピックアップ７を一定速度で光ディスクＤの半径方向に内周側から外周側に移動させて、光ディスクＤに記録された元データの螺旋状トラックに対して、所定の間隔で交差する別の螺旋状のトラックを形成する。光ディスク装置１は、消去用データの記録が完了後に、元データを再生することができた場合、完全に消去できていないため、この追記型光ディスクに再度消去用データを記録して、元データが再生できないように消去を行う。一方、光ディスク装置１は、元データを読み出すことができない場合、データを読み出すことができないように消去できているため、処理を終了する。【選択図】図３
2004280991.tif 000002
【特許請求の範囲】
【請求項１】
光ディスクを回転させる回転手段と、
光ディスクに記録パワーのレーザ光または再生パワーのレーザ光を選択的に照射して、データを記録または再生する光ピックアップ手段と、を備えた光ディスク装置において、
前記回転手段に光ディスクの回転を指示し、前記ピックアップ手段にトラッキングサーボを禁止するとともに、記録パワーのレーザ光を光ディスクに照射させる第１の処理と、前記第１の処理完了後にこの光ディスクのデータを再生する第２の処理と、を実行し、前記第２の処理において光ディスクに記録されているデータが再生できると、前記第１の処理及び前記第２の処理を繰り返す制御手段を備え、
前記制御手段が前記第２の処理時に再生するのは、前記光ディスクの最内周近傍のデータのみであるか、または、前記光ディスクの最内周近傍及び最外周近傍のデータのみであり、
前記制御手段は、データの終端まで前記消去用データを記録させることを特徴とする光ディスク装置。
【請求項２】
光ディスクを回転させる回転手段と、
光ディスクに記録パワーのレーザ光または再生パワーのレーザ光を選択的に照射して、データを記録または再生する光ピックアップ手段と、を備えた光ディスク装置において、
前記回転手段に光ディスクの回転を指示し、前記ピックアップ手段にトラッキングサーボを禁止するとともに、記録パワーのレーザ光を光ディスクに照射させる第１の処理と、前記第１の処理完了後にこの光ディスクのデータを再生する第２の処理と、を実行し、前記第２の処理において光ディスクに記録されているデータが再生できると、前記第１の処理及び前記第２の処理を繰り返す制御手段を備えたことを特徴とする光ディスク装置。
【請求項３】
前記制御手段が前記第２の処理時に再生するのは、前記光ディスクの最内周近傍のデータのみである請求項２に記載の光ディスク装置。
【請求項４】
前記制御手段が前記第２の処理時に再生するのは、前記光ディスクの最内周近傍及び最外周近傍のデータのみである請求項２に記載の光ディスク装置。
【請求項５】
前記制御手段は、データの終端まで前記消去用データを記録させる請求項２乃至４のいずれかに記載の光ディスク装置。
【発明の詳細な説明】
【０００１】
【発明の属する技術分野】
本発明は、追記型光ディスクに記録されているデータを読み出すことができないように別のデータを記録する光ディスク装置に関する。
【０００２】
【従来の技術】
データを記録可能な光ディスクには、ＣＤ−ＲＷ，ＤＶＤ−ＲＡＭ，ＤＶＤ−ＲＷ，ＤＶＤ＋ＲＷなどのような書換型光ディスクと、ＣＤ−Ｒ，ＤＶＤ−Ｒ，ＤＶＤ＋Ｒなどのような追記型（ライトワンス型）光ディスクと、がある。ユーザは、書換型光ディスクに記録したデータを消去したり別のデータを上書きしたりすることができるが、通常、追記型光ディスクに記録したデータを消去することができない。そのため、ユーザは、追記型光ディスクに記録したデータが不要になると、追記型光ディスクをストレージとして再利用できないため廃棄していた。
【０００３】
ユーザは、データを記録した追記型光ディスクをそのままの状態で廃棄すると、他人にその光ディスクを持ち去られて記録データを知られてしまう可能性がある。そのため、従来、ユーザは、他人に知られたくないデータなどを記録した光ディスクを廃棄する際には、廃棄処理装置を使用して追記型光ディスクを細かく裁断したり、追記型光ディスクの記録面をサンドペーパー等で擦って白く曇らせたりしていた。
【０００４】
しかし、廃棄処理装置は高価であるため、光ディスクを廃棄する枚数が少ない場合、わざわざ装置を購入するのは躊躇される。また、追記型光ディスクの記録面をサンドペーパー等で摩擦する作業は煩雑である。なお、追記型光ディスクを廃棄する際に、この光ディスクを手で割る方法もあるが、手を怪我したり破片が目に入ったりする危険性があるため好ましくない。
【０００５】
そこで、データが記録された追記型光ディスクに二重書き用信号を記録して、データを破壊して、データの読み出しを不可能にする光ディスクのデータを消去する光ディスク装置があった（例えば、特許文献１参照。）。特許文献１に記載の光ディスク装置は、例えば、光ディスクを回転させて、トラッキング制御を行わずに光ピックアップを半径方向に移動させながらレーザ光を照射して二重書き用信号を記録するので、光ディスク全体に二重書き用信号を記録しても元データを読み出すことができなくなり、短時間でデータを読み出すことができないようにすることができる。
【０００６】
【特許文献１】
特開２００１−１４６８１号公報（第３−９頁、第１−１８図）
【０００７】
【発明が解決しようとする課題】
しかしながら、特許文献１に記載の光ディスク装置は、光ディスクがセットされると二重書き用信号の記録を一度しか実施しないため、元データを完全に消去できない場合があるという問題があった。例えば、光ディスクに反りや偏芯があったり光ピックアップの移動速度が大きかったりすると、二重書き用信号を記録できないトラックが発生して、部分的にデータを読み出すことができる場合があった。
【０００８】
そこで、本発明は、上記の問題を解決するために、追記型光ディスクのデータを完全に読み出し不能にするデータを記録する光ディスク装置を提供することを目的とする。
【０００９】
【課題を解決するための手段】
この発明は、上記の課題を解決するための手段として、以下の構成を備えている。
【００１０】
（１）光ディスクを回転させる回転手段と、
光ディスクに記録パワーのレーザ光または再生パワーのレーザ光を選択的に照射して、データを記録または再生する光ピックアップ手段と、を備えた光ディスク装置において、
前記回転手段に光ディスクの回転を指示し、前記ピックアップ手段にトラッキングサーボを禁止するとともに、記録パワーのレーザ光を光ディスクに照射させる第１の処理と、前記第１の処理完了後にこの光ディスクのデータを再生する第２の処理と、を実行し、前記第２の処理において光ディスクに記録されているデータが再生できると、前記第１の処理及び前記第２の処理を繰り返す制御手段を備えたことを特徴とする。
【００１１】
この構成においては、光ディスク装置は、光ディスクに記録されていたデータを読み出すことができないようにするために記録パワーのレーザ光を照射した後に、光ディスクのデータを再生するので、光ディスクに記録されていたデータを消去できたか否かを確認することができる。また、光ディスク装置は、光ディスクに記録されていたデータを消去できずに再生できた場合、再度記録パワーのレーザ光を照射して光ディスクの再生確認を行うので、この動作を繰り返すことで、確実にデータを消去できる。
【００１２】
（２）前記制御手段が前記第２の処理時に再生するのは、前記光ディスクの最内周近傍のデータのみであることを特徴とする。
【００１３】
光ディスク装置は、光ディスクに記録されているデータに対して記録領域のどの位置においても同じ割合で交差するように記録パワーのレーザ光を照射した場合、光ディスクの最内周近傍のデータを読み出すことができないと、光ディスク全体のデータが消去されていると判断することができる。また、光ディスクの最内周近傍のデータであるプログラムメモリ領域やリードイン領域を読み出すことができないと、光ディスクの目次情報を読み出すことができないので、データの書き込まれたトラックの位置を特定できず、データを読み出せなくなる。したがって、もしプログラム領域のデータを一部読み出すことができた場合でも、何のデータかを判断するのが難しくなり、データの隠匿性を向上させることができる。
【００１４】
（３）前記制御手段が前記第２の処理時に再生するのは、前記光ディスクの最内周近傍及び最外周近傍のデータのみであることを特徴とする。
【００１５】
この構成においては、光ディスクに記録パワーのレーザ光を照射後に、最内周近傍のデータだけでなく最外周近傍のデータを再生して、光ディスクに記録されていたデータが再生できないように消去できたかどうかを確認するので、確実にデータを消去できる。
【００１６】
（４）前記制御手段は、データの終端まで前記消去用データを記録させることを特徴とする。
【００１７】
この構成においては、追記型光ディスクに記録された元データの終端までしか消去用データを記録しないので、データが記録されていない未記録領域に消去用データを記録するという無駄な処理を防止して、処理時間を短縮することができる。
【００１８】
【発明の実施の形態】
図１は、本実施の実施形態に係る光ディスク再生装置の概略構成図である。光ディスク装置１は、ドライブ部２１、表示部２２、記憶部２３、操作部２４、及び制御部２５を備えている。ドライブ部２１は、光ディスクの再生を行う。表示部２２は、ユーザに伝達する内容などを表示する。記憶部２３は、制御部２５が行う動作などのプログラムを記憶する。操作部２４は、ユーザが光ディスク装置１に対して各種の操作を行うためのものである。制御部２５は、光ディスク装置１の各部を制御する。
【００１９】
また、ドライブ部２１は、スピンドルモータ２、周波数発生器（ＦＧ）３、スピンドルモータ制御回路４、ガイドレール５、フィードモータ６、光ピックアップ（ＯＰＵ）７、サーボ回路８、レーザパワー制御回路（ＡＬＰＣ）９、トレイ１０、チャッキング機構１１、トレイ駆動モータ１２、トレイ駆動モータ制御回路１３、メモリ１４、及び制御回路１５を備えている。
【００２０】
スピンドルモータ２は、光ディスクＤを回転駆動するモータである。また、スピンドルモータ２の回転軸先端部には、光ディスクＤを保持（チャッキング）するためのチャッキング機構１１の一部であるターンテーブル１１ａが設けられている。また、光ディスクＤは、クランパ１１ｂによってターンテーブル１１ａ上にセットされる。
【００２１】
周波数発生器３は、スピンドルモータ２の回転軸の位置（角度）や回転数を検出するための信号をスピンドルモータ制御回路４へ出力する。周波数発生器３は、スピンドルモータ２が一定速度で１回転する間に、パルス信号を等間隔に一定回数出力する。スピンドルモータ制御回路４は、このパルス信号を検出することで、スピンドルモータ２の回転軸に取り付けた光ディスクの相対位置（角度）や回転数を検出できる。
【００２２】
スピンドルモータ制御回路４は、周波数発生器３から出力されたパルス信号に基づいて、スピンドルモータ２の回転制御を行う。
【００２３】
ガイドレール５は、光ピックアップ７が光ディスクＤに対向して、光ディスクＤの半径方向に移動するように、光ピックアップ７を支持する。
【００２４】
フィードモータ６は、光ピックアップ７を光ディスクＤの半径方向に移動させるための駆動力を供給するモータである。
【００２５】
光ピックアップ７は、レーザダイオード、レンズやミラーなどの光学系、戻り光受光素子、フォーカスサーボ機構、及びトラッキングサーボ機構などを備えている（図示は省略する。）。また、データの記録及び再生時には、レーザダイオードから光ディスクＤに対してレーザ光を照射し、光ディスクＤからの戻り光を受光して受光信号に応じたトラッキング誤差信号、フォーカス誤差信号をサーボ回路８に出力する。なお、フォーカスサーボ機構は、光ピックアップ７のレンズと光ディスクＤのデータ記録面との距離を一定に保つためのサーボ機構である。また、トラッキングサーボ機構は、光ディスクの記録層やレーベル面側に形成されたプリグルーブ（記録トラック）上に、レーザ光を常に照射するためのサーボ機構である。さらに、光ピックアップ７は、レーザパワーモニタ用のフォトダイオードを備えており、このフォトダイオードは、レーザダイオードが出射したレーザ光の一部を受光すると、受光したレーザ光のパワーに応じた電流を出力し、この電流がレーザパワー制御回路９へ供給されるようになっている。
【００２６】
サーボ回路８は、光ピックアップ７のフォーカス制御、トラッキング制御、並びにフィードモータ６による光ピックアップ７の送り制御（スレッド制御）を行い、光ピックアップ７が常に適正な位置になるように制御する。また、サーボ回路８は、光ピックアップ７でフォーカスサーボを行った際に、フォーカス駆動電圧の値を制御回路１５へ出力する。
【００２７】
レーザパワー制御回路９は、光ピックアップ７のレーザダイオードから照射するレーザ光のパワーを制御する。具体的には、レーザパワー制御回路９は、光ピックアップ７のフォトダイオードが出力する電流の値と、制御回路１５から送信されるレーザパワーの最適目標値を示す情報と、に基づいて、最適なレーザパワーのレーザ光を光ピックアップ７のレーザダイオードが出射するように制御する。
【００２８】
トレイ１０は、光ディスク装置１の内部に光ディスクを搬入したり、光ディスク装置１の内部から光ディスクを搬出したりする。
【００２９】
チャッキング機構１１は、光ディスクを安定して高速回転させるために、光ディスクを保持するための機構であり、ターンテーブル１１ａとクランパ１１ｂとで光ディスクＤを挟み込んで保持する。チャッキング機構１１は、トレイ１０の動作と連動しており、光ディスクＤをセットしたトレイ１０が装置内に収納されることで光ディスクＤをチャッキングする構造である。そのため、チャッキング機構１１は、トレイ１０を所定の位置まで搬出しないと、光ディスクのチャッキングを解除できない構造である。
【００３０】
なお、チャッキング機構１１は、上記の構成に限るものではなく、他の構成であっても良い。例えば、ターンテーブル１１ａは、光ディスク保持用の複数の爪で光ディスクを保持する構成などであっても良い。また、チャッキング機構１１は、トレイ１０を所定の位置まで搬出しないでも、光ディスクのチャッキングを解除できる構造であっても良い。
【００３１】
トレイ駆動モータ１２は、ドライブ部２１からトレイ１０を搬出したり、ドライブ部２１内にトレイ１０を搬入したりするため駆動力を供給するモータである。
【００３２】
トレイ駆動モータ制御回路１３は、制御回路１５からの信号に基づいて、トレイ駆動モータ１２の回転制御を行う。なお、トレイ駆動モータ制御回路１３には、トレイを搬入、または搬出させる操作を行うためのイジェクトボタン１３ａが接続されている。
【００３３】
メモリ１４は、フォーカス駆動電圧の基準値や測定値などを記憶させるためのものである。
【００３４】
制御回路１５は、ＣＰＵ、ＲＯＭ、及びＲＡＭ等から構成されており、ＲＯＭに格納されたプログラムに従って光ディスクＤ記録装置１のスピンドルモータ制御回路４、サーボ回路８、及びレーザパワー制御回路９などに制御信号を送信して、これらに接続された各部を制御する。
【００３５】
光ディスク装置１は、このような構成によって、書換型光ディスクや追記型光ディスクにデータを記録したり、再生専用型光ディスク、書換型光ディスク、及び追記型光ディスクに記録されたデータを再生したりすることができる。また、光ディスク装置１は、データが記録された追記型光ディスクのデータを読み出せないようにするデータである消去用データを記録することで、光ディスクに記録されたデータ（元データとも称する。）を読み出すことができないように消去することができる。
【００３６】
図２は、追記型光ディスクに記録した元データと消去用データとを示した模式図である。光ディスク装置１は、データが記録された追記型光ディスクＤに消去用データを記録する場合、光ピックアップ７のレーザダイオードから記録パワーのレーザ光を照射させる。この時、光ディスク装置１は、スピンドルモータ制御回路４及びスピンドルモータ２によって、ＣＬＶ（線速度一定）方式またはＣＡＶ（各速度一定）方式で光ディスクＤを回転させる。また、光ディスク装置１は、光ピックアップ７のトラッキングサーボを行わずに、フォーカスサーボのみを行う。さらに、光ディスク装置１は、サーボ回路８及びフィードモータ６によって、光ピックアップ７を一定速度で追記型光ディスクＤの半径方向に内周側（中心側）から外周側に移動させる。これにより、図２に示すように、追記型光ディスクＤに記録された元データの螺旋状のトラックに対して、所定の間隔で交差する別の螺旋状のトラックが形成される。このようにして、消去用データを記録した追記型光ディスクＤを再生した場合、元データは、消去用データによって所定の間隔で切断された状態になるため、交差間隔が適切であると、一部でデータを読み出すことができたとしても無意味なデータとなる。つまり、光ディスク装置１は、元データを読み出すことができないように消去したことになる。
【００３７】
なお、光ディスク装置１において、追記型光ディスクＤの回転速度や光ピックアップ７の移動速度の設定が適切な値に設定されていないと、元データと消去用データとの交差間隔が不適切となり、元データが意味のあるデータとして読み出されてしまうことがある。
【００３８】
光ディスク装置１が追記型光ディスクＤに記録する消去用データとしては、一定の周期で変化するデータや、ランダムに変化するデータなど、データとして意味を成さないものが好適である。
【００３９】
次に、本発明の実施形態に係る光ディスク装置の特徴的な動作について説明する。光ディスク装置１は、追記型光ディスクに記録されたデータを消去する場合、まず、この追記型光ディスクの目次情報であるＴＯＣ情報を取得する。光ディスク装置１は、追記型光ディスクＤがファイナライズされているとリードイン領域のＴＯＣ情報を取得する。また、光ディスク装置１は、追記型光ディスクＤがファイナライズされていないとＰＭＡ（プログラムメモリ領域）の仮ＴＯＣ情報を取得する。そして、光ディスク装置１は、光ディスクＤの記録領域の範囲を把握する。すなわち、記録領域の最外周の位置情報を取得しておく。
【００４０】
続いて、光ディスク装置１は、追記型光ディスクＤに対して、先に説明した手順で消去用データを記録する。光ディスク装置１は、消去用データの記録が完了すると、光ディスクに記録されていた元データの再生を試みる。光ディスク装置１は、元データを再生することができた場合、データを読み出すことができないように完全に消去できていないため、この追記型光ディスクに再度消去用データを記録して、元データが再生できないように消去を行う。一方、光ディスク装置１は、元データを読み出すことができない場合、データを読み出すことができないように消去できているため、例えばトレイ１０を搬出させて光ディスクを排出して、処理を終了する。これにより、ユーザは追記型光ディスクＤに記録されていたデータを読み出すことができないように処理することができたことを容易に把握できる。
【００４１】
また、光ディスク装置１は、元データの再生ができなくなるまで上記の処理を繰り返すので、追記型光ディスクに記録された元データを完全に再生できないようにすることができる。
【００４２】
ここで、光ディスク装置１は、追記型光ディスクＤの全域に亘って元データの再生を試みるように設定することができる。しかしながら、その場合、確認に長時間かかってしまう。
【００４３】
そこで、光ディスク装置１では、追記型光ディスクＤの最内周近傍の領域で元データの再生を試みるように設定できる。すなわち、追記型光ディスクＤの最内周の領域にはＰＭＡやリードイン領域が設けられているので、これらの領域に記録されたデータを読み出すことができないと、追記型光ディスクＤの目次情報を読み出すことができなくなるので、データの書き込まれたトラックの位置を特定できなくなる。また、光ディスク装置１は、前記のように追記型光ディスクＤの全体に亘って同じ割合で元データと消去用データとが交差するように消去用データを記録するので、追記型光ディスクＤの最内周近傍の領域での元データを再生できないと、他の領域の元データも再生できないものと判断して差し支えない。さらに、追記型光ディスクＤの最内周近傍の領域のみの再生を試みることで、追記型光ディスクＤ全体の再生を試みる場合に比べて、実施時間を短縮することができる。
【００４４】
また、光ディスク装置１では、追記型光ディスクＤの最内周近傍の領域と、データの記録領域における最外周近傍の領域と、で元データの再生を試みるように設定できる。例えば、ファイナライズされた追記型光ディスクＤの場合、光ディスク装置１は、リードイン領域を含む領域とリードアウト領域を含む領域との再生を試みることになる。光ディスクにおいて反りや歪みが発生している場合、外周側ほど、その影響が大きくなる。そのため、光ディスク装置１が追記型光ディスクＤに消去用データを記録した場合、外周側ほど記録位置精度が低下して、一部のデータが読み出し可能になる畏れがある。しかし、消去用データを記録後に、データの記録領域における最外周近傍の領域においても元データの再生を試みることで、元データを完全に消去できたか否かを判定することができる。つまり、最外周近傍の領域において元データが再生できないと、その位置よりも内周側の領域では、当然元データを再生できない状態になっていると判断できる。
【００４５】
また、光ディスク装置１は、前記のように、追記型光ディスクＤに消去用データを記録する前にＴＯＣ情報を取得して追記型光ディスクＤの記録領域の範囲を把握するので、消去用データを光ディスクＤの記録領域のみに記録させて、未記録領域には記録させないように設定することができる。これにより、処理時間を短縮することができる。
【００４６】
次に、光ディスク装置１が追記型光ディスクＤのデータを消去する処理を行う場合の具体的な動作について説明する。図３は、本発明の実施形態に係る光ディスク装置のデータ消去動作を説明するためのフローチャートである。
【００４７】
なお、以下の説明では、追記型光ディスクＤはファイナライズ（ディスククローズ）されているものとする。また、光ディスク装置１は、元データの再生確認を追記型光ディスクＤの最内周近傍の領域のみで行うものとする。
【００４８】
ユーザは、光ディスク装置１の操作部２４を操作して、チャッキング機構１１に保持された追記型光ディスクＤのデータを消去するための設定を行う。光ディスク装置１の制御部２５は、操作部２４の操作を検出すると、追記型光ディスクＤのデータを消去するように制御回路１５へ信号を送る（ｓ１）。制御回路１５は、この信号を受信すると、スピンドルモータ制御回路４にスピンドルモータ２の回転を開始させて、追記型光ディスクＤを一定の線速度で回転させる。また、制御回路１５は、サーボ回路８にフィードモータ６を制御させて、光ピックアップ７を追記型光ディスクＤのリードイン領域に対向する位置に移動させる（ｓ２）。そして、制御回路１５は、レーザパワー制御回路９に光ピックアップ７から再生パワーのレーザ光を照射させる。制御回路１５は、光ピックアップ７で追記型光ディスクＤのリードイン領域のＴＯＣ情報を読み取ると、メモリ１４にＴＯＣ情報を格納するとともに、データの最外周の位置を取得しておく（ｓ３）。
【００４９】
続いて、制御回路１５は、サーボ回路８にフィードモータ６を制御させて光ピックアップ７を追記型光ディスクＤのＰＣＡ（パワー調整領域）に対向する位置（光ディスクの最内周近傍の領域）に移動させる（ｓ４）。また、制御回路１５は、メモリ１４から消去用データを読み出し、この消去用データに基づいた信号をレーザパワー制御回路９に送信する。レーザパワー制御回路９は、この信号に基づいて光ピックアップ７から所定の間隔で記録パワーのレーザ光を追記型光ディスクＤへ照射する（ｓ５）。
【００５０】
また、制御回路１５は、サーボ回路８に光ピックアップ７のトラッキング制御を実行させずにフォーカス制御のみを実行させる。また、制御回路１５は、フィードモータ６を制御して光ピックアップ７を一定速度で追記型光ディスクＤの内周側から外周側へ移動させる（ｓ６）。これにより、制御回路１５は、追記型光ディスクＤの内周側から外周側へかけて消去用データを記録することができる。制御回路１５は、光ピックアップ７が追記型光ディスクｄのデータを記録している領域の最外周になると（ｓ７）、消去用データの記録を終了する（ｓ８）。
【００５１】
光ディスク装置１の制御回路１５は、消去用データの記録が終了すると、サーボ回路８にフィードモータ６を制御させて光ピックアップ７を追記型光ディスクＤの最内周近傍の領域であるリードイン領域に対向する位置に移動させる。続いて、制御回路１５は、レーザパワー制御回路９に光ピックアップ７から再生時パワーのレーザ光を照射させて、追記型光ディスクＤの元データの再生を試みる  （ｓ９）。制御回路１５は、追記型光ディスクＤの元データの再生ができない場合、元データの消去が完了したとして（ｓ１０）、処理を終了する。
【００５２】
一方、制御回路１５は、ステップｓ８において追記型光ディスクＤの元データを再生することができた場合、ステップｓ４以降の処理を実行する。
【００５３】
以上のように、本発明では追記型光ディスクに記録された元データを消去するために、消去用データを記録した後に、元データの再生を試みて、元データが再製できないように消去用データが記録されているか否かを確認するので、元データを絶対に再生できないようにすることできる。
【００５４】
【発明の効果】
本発明によれば、以下の効果が得られる。
【００５５】
（１）光ディスク装置は、光ディスクに記録されていたデータを読み出すことができないようにするために記録パワーのレーザ光を照射した後に、光ディスクのデータを再生するので、光ディスクに記録されていたデータを消去できたか否かを確認することができる。また、光ディスク装置は、光ディスクに記録されていたデータを消去できずに再生できた場合、再度記録パワーのレーザ光を照射して光ディスクの再生確認を行うので、この動作を繰り返すことで、確実にデータを消去できる。
【００５６】
（２）  光ディスク装置は、光ディスクに記録されているデータに対して記録領域のどの位置においても同じ割合で交差するように記録パワーのレーザ光を照射した場合、光ディスクの最内周近傍のデータを読み出すことができないと、光ディスク全体のデータが消去されていると判断できる。また、光ディスクの最内周近傍のデータであるプログラムメモリ領域やリードイン領域を読み出すことができないと、光ディスクの目次情報を読み出すことができないので、データの書き込まれたトラックの位置を特定できず、データを読み出せなくなる。これにより、もしプログラム領域のデータを一部読み出すことができた場合でも、何のデータかを判断するのが難しくなり、データの隠匿性を向上させることができる。
【００５７】
（３）光ディスクに記録パワーのレーザ光を照射後に、最内周近傍のデータだけでなく最外周近傍のデータを再生して、光ディスクに記録されていたデータが再生できないように消去できたかどうかを確認するので、確実にデータを消去できる。
【００５８】
（４）追記型光ディスクに記録された元データの終端までしか消去用データを記録しないので、データが記録されていない未記録領域に消去用データを記録するという無駄な処理を防止して、処理時間を短縮することができる。
【図面の簡単な説明】
【図１】本実施の実施形態に係る光ディスク再生装置の概略構成図である。
【図２】図２は、追記型光ディスクに記録した元データと消去用データとを示した模式図である。
【図３】本発明の実施形態に係る光ディスク装置のデータ消去動作を説明するためのフローチャートである。
【符号の説明】
１−光ディスク装置、２−スピンドルモータ、３−周波数発生器、
４−スピンドルモータ制御回路、５−ガイドレール、６−フィードモータ６、
７−光ピックアップ、８−サーボ回路、９−レーザパワー制御回路、
１１−チャッキング機構、１４−メモリ、１５−制御回路、
２１−ドライブ部、２２−表示部、２３−記憶部、２４−操作部、２５−制御部
【図１】
2004280991.tif 000003
【図２】
2004280991.tif 000004
【図３】
2004280991.tif 000005